【手続補正書】
【提出日】平成16年2月16日(2004.2.16)
【手続補正１】
【補正対象書類名】明細書
【補正対象項目名】発明の名称
【補正方法】変更
【補正の内容】
【発明の名称】制振壁パネル及びその設置構造
【手続補正２】
【補正対象書類名】明細書
【補正対象項目名】特許請求の範囲
【補正方法】変更
【補正の内容】
【特許請求の範囲】
【請求項１】
構造物の梁又は柱に固定される枠体と、
該枠体の内部に形成された空間に配設され、前記枠体に作用する外力を吸収するダンパと、
からなることを特徴とする制振壁パネル。
【請求項２】
前記請求項１記載の制振壁パネルであって、
取り付け角度が交互に異なる方向となるように複数のダンパを前記枠体の内部に配設したことを特徴とする制振壁パネル。
【請求項３】
前記請求項１または２記載の制振壁パネルであって、
前記ダンパは、前記枠体の厚さよりはみ出さないことを特徴とする制振壁パネル。
【請求項４】
前記請求項１乃至３の何れかに記載の制振壁パネルを、構造物に対して、構造物の上の階ほど数を減らして設置することを特徴とする制振壁パネルの設置構造。
【手続補正３】
【補正対象書類名】明細書
【補正対象項目名】０００１
【補正方法】変更
【補正の内容】
【０００１】
【発明の属する技術分野】
本発明は制振壁パネル及びその設置構造に係り、特に構造物の振動エネルギを吸収するよう構成された制振壁パネル及びその設置構造に関する。


【手続補正４】
【補正対象書類名】明細書
【補正対象項目名】０００６
【補正方法】変更
【補正の内容】
【０００６】
しかしながら、上記のようなブレースダンパを構造物の梁や柱に取り付けるには、かなりの時間がかかり、しかも建築現場においてブレースダンパを取り付ける際に、梁や柱の所定取り付け箇所の位置に合わせてブレースダンパの両端長さを調整する必要があり、取り付け作業に手間がかかっていた。
そこで、本発明は上記問題を解決した制振壁パネル及びその設置構造を提供することを目的とする。


【手続補正５】
【補正対象書類名】明細書
【補正対象項目名】０００７
【補正方法】変更
【補正の内容】
【０００７】
【課題を解決するための手段】
上記課題を解決するため、本発明は以下のような特徴を有する。
上記請求項１の発明は、構造物の梁又は柱に固定される枠体と、
該枠体の内部に形成された空間に配設され、前記枠体に作用する外力を吸収するダンパと、
からなることを特徴とするものである。


【手続補正６】
【補正対象書類名】明細書
【補正対象項目名】０００８
【補正方法】変更
【補正の内容】
【０００８】
従って、請求項１の発明によれば、制振壁パネルを構造物の梁又は柱に締結することにより構造物の振動エネルギをパネル内のダンパにより吸収して構造物の振動を効果的に制振することができると共に、ダンパをパネル毎に構造物に取り付けることができるので、取り付け作業が簡単に行える。
また、請求項２の発明は、前記請求項１記載の制振壁パネルであって、
取り付け角度が交互に異なる方向となるように複数のダンパを前記枠体の内部に配設したことを特徴とするものである。


【手続補正７】
【補正対象書類名】明細書
【補正対象項目名】０００９
【補正方法】変更
【補正の内容】
【０００９】
従って、請求項２の発明によれば、取り付け角度が交互に異なる方向となるように複数のダンパを枠体の内部に配設したため、小地震による小さな振動エネルギだけでなく、大地震による大きな振動エネルギも効果的に吸収することができる。
また、請求項３の発明によれば、ダンパは、枠体の厚さよりはみ出さないので、ダンパが干渉することなく制振壁パネルを積重して運搬できる。
また、請求項４に記載の制振壁パネルの設置構造によれば、請求項１乃至３に記載の制振壁パネルを、構造物に対して、構造物の上の階ほど数を減らして設置することができる。
【手続補正８】
【補正対象書類名】明細書
【補正対象項目名】００１１
【補正方法】変更
【補正の内容】
【００１１】
制振壁パネル４及び外壁パネル５は、下端が梁３（３１〜３ｎ）に溶接により固定された支持板６に支持された状態で、上端角部が取り付けボルト７により梁３（３１〜３ｎ）に固定され、且つ下端角部が取り付けボルト８により梁３（３１〜３ｎ）に固定される。支持板６は、制振壁パネル４及び外壁パネル５の下端が脱落しないように支持する鉤型（Ｕ字状）に形成された係止部６ａを有する。


【手続補正９】
【補正対象書類名】明細書
【補正対象項目名】００１２
【補正方法】変更
【補正の内容】
【００１２】
制振壁パネル４は、断面が四角形の角パイプにより形成され柱２（２１〜２ｎ）又は梁３（３１〜３ｎ）に固定される枠体９と、枠体９の内部に形成された空間に配設され、枠体９に作用する外力を吸収する複数（本実施例では、４本）の油圧ダンパ１１〜１４（ダンパ）とからなる。
各油圧ダンパ１１〜１４は、交互に異なる方向に傾斜して取り付けられており、Ｗを横向きにしたパターンとなるように配設されている。そのため、例えばＡ方向の変位が構造物１に加えられると、第１、第３の油圧ダンパ１１，１３には引っ張り荷重が作用し、第２、第４の油圧ダンパ１２，１４には圧縮荷重が作用する。そして、Ｂ方向の変位が構造物１に加えられると、第１、第３の油圧ダンパ１１，１３には圧縮荷重が作用し、第２、第４の油圧ダンパ１２，１４には引っ張り荷重が作用する。


【手続補正１０】
【補正対象書類名】明細書
【補正対象項目名】００２３
【補正方法】変更
【補正の内容】
【００２３】
また、空気室２６を画成する外周壁には、ピストンロッド２９の摺動動作に伴い空気の吸排を行う空気孔３３が設けられている。
地震発生による振動又は交通振動が制振壁パネル４に伝搬されたとき、ピストン３２は油圧室２５内を往復動する。このピストン３２は、Ｘａ方向の流れを許容するチェック弁３７を有する流路３８と、Ｘｂ方向の流れを許容するチェック弁３５を有する流路３６とが軸方向と平行に設けられている。従って、ピストン３２が図６に示すようにＸａ方向に摺動する過程では、油圧室２５の左室２５ｂに充填された粘性流体４０がチェック弁３７及び流路３８を通過して右室２５ａに流入する。


【手続補正１１】
【補正対象書類名】明細書
【補正対象項目名】００２４
【補正方法】変更
【補正の内容】
【００２４】
また、ピストン３２が図７に示すようにＸｂ方向に摺動する過程では、油圧室２５の右室２５ａに充填された粘性流体４０がチェック弁３５及び流路３６を通過して左室２５ｂに流入する。
このように油圧室２５に充填された粘性流体４０が流路面積が絞られた流路３６又は３８を通過して移動する際の粘性抵抗によりシリンダ１６及びシリンダカバー１７に入力された振動エネルギを吸収する。


【手続補正１２】
【補正対象書類名】明細書
【補正対象項目名】００２６
【補正方法】変更
【補正の内容】
【００２６】
このように一般住宅４１の１階の外壁に制振壁パネル４を取り付けることにより、１階に入力された振動が制振壁パネル４に内蔵された油圧ダンパ１１〜１４により吸収され、２階部分の振動が増幅しないように制振することができる。
図９は本発明になる制振壁パネル４を１０階建てのビルに取り付ける場合の配置例を示す図である。


【手続補正１３】
【補正対象書類名】明細書
【補正対象項目名】００３６
【補正方法】変更
【補正の内容】
【００３６】
【発明の効果】
上述の如く、請求項１の発明によれば、制振壁パネルを構造物の梁又は柱に締結することにより構造物の振動エネルギをパネル内のダンパにより吸収して構造物の振動を効果的に制振することができると共に、ダンパをパネル毎を構造物に取り付けることができるので、取り付け作業が簡単に行える。


【手続補正１４】
【補正対象書類名】明細書
【補正対象項目名】００３７
【補正方法】変更
【補正の内容】
【００３７】
従って、請求項２の発明によれば、取り付け角度が交互に異なる方向となるように複数のダンパを枠体の内部に配設したため、小地震による小さな振動エネルギだけでなく、大地震による大きな振動エネルギも効果的に吸収することができる。
また、請求項３の発明によれば、ダンパは、枠体の厚さよりはみ出さないので、ダンパが干渉することなく制振壁パネルを積重して運搬できる。
また、請求項４に記載の制振壁パネルの設置構造によれば、請求項１乃至３に記載の制振壁パネルを、構造物に対して、構造物の上の階ほど数を減らして設置することができる。